【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
据置型表示装置と、ユーザにより所定の入力が可能な可搬型表示装置とを含む情報処理システムであって、
コンテンツを再生して、再生画像を生成し、少なくとも前記据置型表示装置に表示するコンテンツ再生部と、
再生するコンテンツを指定するためのユーザインターフェース用画像を生成するＵＩ画像生成部と、
前記コンテンツ再生部によるコンテンツの再生中に、前記可搬型表示装置に、当該再生中の前記再生画像と、前記ユーザインターフェース用画像とを選択的に表示する切替表示制御部と、
前記ユーザインターフェース用画像を用いて、前記可搬型表示装置におけるユーザによる所定の入力により、次に再生すべきコンテンツを指定するコンテンツ指定部と、
前記コンテンツ再生部は、前記コンテンツ指定部によって指定されたコンテンツを次に再生する、情報処理システム。
【請求項２】
前記コンテンツ再生部によって再生中のコンテンツの再生状態を示す表示である再生状態画像を前記可搬型表示装置に表示する再生状態表示制御部をさらに備え、
前記再生状態表示制御部は、前記切替表示制御部によって前記再生中の再生画像に切り替えられているときには、当該再生画像とともに前記再生状態画像を前記可搬型表示装置に表示し、前記ユーザインターフェース用画像に切り替えられているときは、当該ユーザインターフェース用画像とともに前記再生状態画像を前記可搬型表示装置に表示する、請求項１に記載の情報処理システム。
【請求項３】
前記再生状態表示制御部は、前記切替表示制御部により前記再生中の再生画像に切り替えられているときには、当該再生画像の下方に前記再生状態画像を表示し、前記ユーザインターフェース用画像に切り替えられているときには、当該ユーザインターフェース用画像示の上方に前記再生状態画像を表示する、請求項２に記載の情報処理システム。
【請求項４】
前記可搬型表示装置は座標入力部を備え、
前記コンテンツ再生部によって再生中のコンテンツの再生を制御するための表示である再生制御画像を前記可搬型表示装置に表示する再生制御表示制御部をさらに備え、
前記再生制御表示制御部は、前記切替表示制御部により前記再生中の再生画像に切り替えられているときには、当該再生画像とともに前記再生制御画像を前記可搬型表示装置に表示し、前記ユーザインターフェース用画像に切り替えられているときは、当該ユーザインターフェース用画像とともに前記再生制御画像を前記可搬型表示装置に表示し、
前記再生制御部は、前記座標入力部によって前記再生制御画像に対する座標入力がされたときに、現在再生中のコンテンツに対して再生制御をおこなう、請求項１に記載の情報処理システム。
【請求項５】
前記再生制御表示制御部は、前記切替表示制御部により前記再生中の再生画像に切り替えられているときには、当該再生画像の下方に前記再生制御画像を表示し、前記ユーザインターフェース用画像に切り替えられているときには、当該ユーザインタフェース用画像の上方に前記再生制御画像を表示する、請求項４に記載の情報処理システム。
【請求項６】
前記可搬型表示装置は、座標入力部を備え、
前記切替表示制御部は、前記座標入力部において上方向を示す座標入力があったときに、前記可搬型表示装置の表示内容を、前記再生画像から前記ユーザインターフェース用画像に切り替える、請求項１に記載の情報処理システム。
【請求項７】
前記切替表示制御部は、前記ユーザインターフェース用画像から前記再生画像に切り替えるときに、前記コンテンツ再生部により現在再生中のコンテンツの再生画像を前記可搬型表示装置において上方向から徐々にスライドインするように表示する、請求項１または６に記載の情報処理システム。
【請求項８】
前記切替表示制御部は、前記再生画像から前記ユーザインターフェース用画像に切り替えるときに、前記コンテンツ再生部により現在再生中のコンテンツの再生画像を前記可搬型表示装置において上方向へ徐々にスライドアウトするように表示する、請求項１、６または７のいずれかに記載の情報処理システム。
【請求項９】
前記コンテンツ再生部は、前記コンテンツ指定部によって次に再生すべきことが指定されたコンテンツを再生するときに、前記再生画像を前記据置型表示装置に表示するとともに、前記切替表示制御部により前記可搬型表示装置の表示を前記再生画像に切り替えて、当該再生画像を前記可搬型表示装置に表示する、請求項１ないし８のいずれかに記載の情報処理システム。
【請求項１０】
前記切替表示制御部は、前記コンテンツ再生部によるコンテンツの再生が終了したときに、前記ユーザインターフェース用画像を前記可搬型表示装置と前記据置型表示装置の両方に表示する、請求項１ないし９のいずれかに記載の情報処理システム。
【請求項１１】
ネットワークに接続可能であり、当該ネットワークを介して、コンテンツを記憶した所定の外部装置と通信を行う通信部をさらに備え、
前記ＵＩ画像生成部は、前記通信部によって前記外部装置に記憶されたコンテンツの一覧を取得してそのなかから再生すべきコンテンツを指定するためのインターフェース用画像を生成し、
前記コンテンツ再生部は、前記コンテンツ指定部によって指定されたコンテンツを前記通信部によって前記外部装置から取得して再生する、請求項１ないし１０のいずれかに記載の情報処理システム。
【請求項１２】
前記情報処理システムは、表示データを生成して前記据置型表示装置および前記可搬型表示装置に出力することが可能な情報処理部を含み、
前記情報処理部は、前記ＵＩ画像生成部、前記コンテンツ再生部として機能し、
前記ＵＩ画像生成部により生成されたユーザインターフェース用画像と前記コンテンツ再生部による再生画像を、選択的にまたは同時に前記可搬型表示装置に出力し、
前記コンテンツ再生部による再生画像を前記据置型表示装置に出力し、
前記据置型表示装置および前記可搬型表示装置は、情報処理装置から表示データを受信して表示する、請求項１ないし１１のいずれかに記載の情報処理システム。
【請求項１３】
据置型表示装置およびユーザにより所定の入力が可能な可搬型表示装置に表示データを出力可能な情報処理装置であって、
コンテンツを再生して、再生画像を生成し、少なくとも前記据置型表示装置に表示するコンテンツ再生部と、
再生するコンテンツを指定するためのユーザインターフェース用画像を生成するＵＩ画像生成部と、
前記コンテンツ再生部によるコンテンツの再生中に、前記可搬型表示装置に、当該再生中の前記再生画像と、前記ユーザインターフェース用画像とを選択的に表示する切替表示制御部と、
前記ユーザインターフェース用画像を用いて、前記可搬型表示装置におけるユーザによる所定の入力により、次に再生すべきコンテンツを指定するコンテンツ指定部とを備え、
前記コンテンツ再生部は、前記コンテンツ指定部によって指定されたコンテンツを次に再生する、情報処理装置。
【請求項１４】
据置型表示装置およびユーザにより所定の入力が可能な可搬型表示装置に表示データを出力可能な情報処理装置のコンピュータにおいて実行される情報処理プログラムであって、
コンテンツを再生して、再生画像を生成し、少なくとも前記据置型表示装置に表示するコンテンツ再生部と、
再生するコンテンツを指定するためのユーザインターフェース用画像を生成するＵＩ画像生成部と、
前記コンテンツ再生部によるコンテンツの再生中に、前記可搬型表示装置に、当該再生中の前記再生画像と、前記ユーザインターフェース用画像とを選択的に表示する切替表示制御部と、
前記ユーザインターフェース用画像を用いて、前記可搬型表示装置におけるユーザによる所定の入力により、次に再生すべきコンテンツを指定するコンテンツ指定部として前記コンピュータを機能させ、
前記コンテンツ再生部は、前記コンテンツ指定部によって指定されたコンテンツを次に再生する、情報処理プログラム。
【請求項１５】
据置型表示装置と、ユーザにより所定の入力が可能な可搬型表示装置とを含む情報処理システムにおいて実行されるコンテンツ再生制御方法であって、
コンテンツを再生して、再生画像を生成し、少なくとも前記据置型表示装置に表示し、
再生するコンテンツを指定するためのユーザインターフェース用画像を生成し、
前記コンテンツ再生部によるコンテンツの再生中に、前記可搬型表示装置に、当該再生中の前記再生画像と、前記ユーザインターフェース用画像とを選択的に表示し、
前記ユーザインターフェース用画像を用いて、前記可搬型表示装置におけるユーザによる所定の入力により、次に再生すべきコンテンツを指定し、当該指定されたコンテンツを次に再生する、コンテンツ再生制御方法。